(57)【要約】【課題】長さを自由に伸縮することができ、取り扱いが容易で、低コストである。【解決手段】チップ２とバレル３とシャフト４とフライト５とから構成されるダーツ１であって、シャフト４は、バレル３に接続される第１シャフト部４ａと、フライト５が接続される第２シャフト部４ｂとからなり、第１シャフト部４ａは樹脂で円筒状に形成され、第２シャフト部４ｂは樹脂で円柱状に形成され、第１シャフト部４ａに第２シャフト部４ｂを挿入し、軸方向の凹凸係合の位置を変え伸縮自在である。第１シャフト部４ａは円筒状に形成され、円筒部の挿入側から雌ねじの外形が徐々に大径になる雌ねじ部４ａ８と、この雌ねじ部４ａ８に螺着された締付リング４ａ９を有し、第２シャフト部４ｂは柱状に形成され、第１シャフト部４ａに第２シャフト部４ｂを挿入し、第１シャフト部４ａの締付リング４ａ９を回転して雌ねじ部４ａ８を絞って固定し軸方向の位置を変え伸縮自在である。【選択図】図２
2008264192.tif 000002
【特許請求の範囲】
【請求項１】
チップとバレルとシャフトとフライトとから構成されるダーツであって、
前記シャフトは、
前記バレルに接続される第１シャフト部と、前記フライトが接続される第２シャフト部とからなり、
前記第１シャフト部は樹脂で凹または凸を有する円筒状に形成され、前記第２シャフト部は樹脂で凹または凸を有する円柱状に形成され、
前記第１シャフト部に前記第２シャフト部を挿入し、軸方向の凹凸係合の位置を変え伸縮自在であることを特徴とするダーツ。
【請求項２】
チップとバレルとシャフトとフライトとから構成されるダーツであって、
前記シャフトは、
前記バレルに接続される第１シャフト部と、前記フライトが接続される第２シャフト部とからなり、
前記第１シャフト部は円筒状に形成され、円筒部の挿入側から雌ねじの外形が徐々に大径になる雌ねじ部と、この雌ねじ部に螺着された締付リングを有し、
前記第２シャフト部は柱状に形成され、
前記第１シャフト部に前記第２シャフト部を挿入し、前記第１シャフト部の前記締付リングを回転して前記雌ねじ部を絞って固定し軸方向の位置を変え伸縮自在であることを特徴とするダーツ。
【発明の詳細な説明】
【技術分野】
【０００１】
この発明は、投げる人に応じて長さを変えることが可能なダーツに関する。
【背景技術】
【０００２】
従来から人が手に持って投げる矢、若しくは矢を的に刺して得点を競うなどのゲームとして、ダーツが知られている。本願においては、ダーツとは手に持って投げる矢自体を意味するものとして説明するが、ダーツは先端からチップ、バレル、シャフト、フライトという各部材から構成されている（特許文献１）。
【特許文献１】登録実用新案第３１１８７３２号公報
【発明の開示】
【発明が解決しようとする課題】
【０００３】
ところで、ダーツの長さは一般的にショート、ミドル、ロングと３種類があり、長さによって飛び方が微妙に異なり、また投げ易さも変わってくる。このため、ショート、ミドル、ロングの３種類の内から自分にあったものを選択して購入して用いているが、３種類の長さしかなく、最も自分に合った長さのダーツを得ることができなかった。
【０００４】
また、ダーツには、シャフトを交換可能にしたものがあり、このものでは長さの異なるシャフトから自分に合った長さのシャフトを購入して交換して使用しているが、交換作業が面倒で、しかもコストがかかるなどの問題がある。
【０００５】
この発明は、かかる実情に鑑みてなされたもので、長さを自由に伸縮することができ、取り扱いが容易で、低コストであるダーツを提供することを目的とする。
【課題を解決するための手段】
【０００６】
前記課題を解決し、かつ目的を達成するために、この発明は、以下のように構成した。
【０００７】
請求項１に記載の発明は、チップとバレルとシャフトとフライトとから構成されるダーツであって、
前記シャフトは、
前記バレルに接続される第１シャフト部と、前記フライトが接続される第２シャフト部とからなり、
前記第１シャフト部は樹脂で凹または凸を有する円筒状に形成され、前記第２シャフト部は樹脂で凹または凸を有する円柱状に形成され、
前記第１シャフト部に前記第２シャフト部を挿入し、軸方向の凹凸係合の位置を変え伸縮自在であることを特徴とするダーツである。
【０００８】
請求項２に記載の発明は、チップとバレルとシャフトとフライトとから構成されるダーツであって、
前記シャフトは、
前記バレルに接続される第１シャフト部と、前記フライトが接続される第２シャフト部とからなり、
前記第１シャフト部は円筒状に形成され、円筒部の挿入側から雌ねじの外形が徐々に大径になる雌ねじ部と、この雌ねじ部に螺着された締付リングを有し、
前記第２シャフト部は柱状に形成され、
前記第１シャフト部に前記第２シャフト部を挿入し、前記第１シャフト部の前記締付リングを回転して前記雌ねじ部を絞って固定し軸方向の位置を変え伸縮自在であることを特徴とするダーツである。
【発明の効果】
【０００９】
前記構成により、この発明は、以下のような効果を有する。
【００１０】
請求項１に記載の発明では、第１シャフト部に第２シャフト部を挿入し、軸方向の凹凸係合の位置を変え伸縮自在であり、ダーツの長さを自由に伸縮することができ、取り扱いが容易で、低コストである。
【００１１】
請求項２に記載の発明では、第１シャフト部に第２シャフト部を挿入し、第１シャフト部の前記締付リングを回転して雌ねじ部を絞って固定し軸方向の位置を変え伸縮自在であり、ダーツの長さを自由に伸縮することができ、取り扱いが容易で、低コストである。
【発明を実施するための最良の形態】
【００１２】
以下、この発明のダーツの実施の形態について説明する。この発明の実施の形態は、発明の最も好ましい形態を示すものであり、この発明はこれに限定されない。
【００１３】
［実施の形態１］
図１はダーツ１の概略の斜視図、図２はシャフト４を説明する図である。この実施の形態１では、ダーツ１は、チップ２、バレル３、シャフト４、フライト５を有し、これらの各部材を結合させることによって１本のダーツ１を構成している。以下、各構成要素について詳細に説明する。
【００１４】
チップ２は、的に係合する先端２ａを有し、バレル３に設けた雌ねじと螺合するための雄ねじを後端部２ｂに有している。なお、この実施の形態においては、すべてチップ２とバレル３を別体として設けた場合について説明しているが、必要に応じてチップ２とバレル３を一体的に構成しても差し支えない。
【００１５】
バレル３は、チップ２を先端部３ａに取り付け若しくは一体的に設けた部材であり、後端部３ｂに雌ねじを設けシャフト４を取り付けられるように構成された部材である。バレル３の先端部３ａ、後端部３ｂ及び中央部３ｃには、それぞれ環状の溝３ａ１，３ｂ１，３ｃ１が形成された円柱状の部材として形成しているが、種々の形状、構造のものが用いられる。
【００１６】
シャフト４は、細長い部材であり、バレル３に接続される第１シャフト部４ａと、フライト５が接続される第２シャフト部４ｂとからなり、軸方向の長さを変化させて伸縮自在である。第１シャフト部４ａの先端部４ａ１の雄ねじをバレル３の後端部３ｂの雌ねじに螺着して接続させることにより、バレル３に対してシャフト４を一体的に固定するようになっている。
【００１７】
第２シャフト部４ｂの後端部４ｂ１には、後方から十字状に切り込みを入れたように形成したスリット４ｃが形成されている。このスリット４ｃの全長は後端から例えば１ｃｍ程度に長く形成され、このスリット４ｃに対してフライト５がはめ込まれる。なお、このスリット４ｃを含め他の部材の諸寸法はダーツ全体の大きさ、各部材の機能等により適宜変更されるものである。
【００１８】
フライト５は、羽根となる４枚の各薄板５ａを、ダーツ１の進行方向に対して、十字形状となるように設けたものである。すなわち、各薄板５ａはダーツ１の長手方向を軸として放射状に等間隔で配置されるようになっている。
【００１９】
このダーツ１は、的に向かって投げ、的表面に刺すことで、所定のゲームルールに則って遊ぶことができる。なお、ダーツ１は、ダーツゲームを単独で行うものではなく、対戦相手と交互にダーツを投げ合って相手のダーツを落としたり、相手の投げたダーツが的に刺さるのを妨害したりするゲームに適したものである。
この実施の形態１のダーツ１は、シャフト４の軸方向の長さを変化させる伸縮自在の構造であり、図１（ａ）がシャフト４を短くした状態を示し、図１（ｂ）がシャフト４を長くした状態を示している。
【００２０】
このシャフト４の軸方向の長さを変化させる構造は、図２に示すように構成され、図２（ａ）は分解図、図２（ｂ）は組み立て図、図２（ｃ）は横断面図である。
【００２１】
シャフト４は、バレル３に接続される第１シャフト部４ａと、フライト５が接続される第２シャフト部４ｂとからなる。第１シャフト部４ａは樹脂で円筒状に形成され、円筒部４ａ２の先端部４ａ１には雄ねじ４ａ３が形成され、後端部４ａ４には軸方向の一部の周方向に内側に突出する複数の突起４ａ５を有している。この実施の形態では、突起４ａ５が円筒部４ａ２の対向する４箇所の位置に形成されているが、これに限定されず複数個所に形成されていればよい。また、突起４ａ５の形状は、半球状に形成したが、これに限定されず突出する形状であればよい。
【００２２】
第２シャフト部４ｂは樹脂で円柱状に形成され、円柱部４ｂ２の軸方向の複数部の周方向に内側に複数の凹み４ｂ３を有している。この実施の形態では、凹み４ｂ３が軸方向の６箇所の位置に等間隔で形成されているが、これに限定されず複数個所の位置に形成されれば良い、例えばｍｍ単位の間隔で形成される。凹み４ｂ３の形状は、突起４ａ５の形状に応じて形成され、突起４ａ５が係合する形状である。
【００２３】
この第１シャフト部４ａの突起４ａ５と第２シャフト部４ｂの凹み４ｂ３を一致させない位置に合わせて、第１シャフト部４ａに第２シャフト部４ｂを手で強く押して挿入すると、第１シャフト部４ａの突起４ａ５が第２シャフト部４ｂの円柱部４ｂ２の外面によって押されて外側に弾性変形する。このため、第１シャフト部４ａと第２シャフト部４ｂをスライドさせて軸方向の所定位置にさせ、例えばｍｍ単位で長さを変化させることができる。この位置で、第１シャフト部４ａと第２シャフト部４ｂとを周方向に回転して第１シャフト部４ａの突起４ａ５を、第２シャフト部４ｂの凹み４ｂ３に係合させると弾性変形した突起４ａ５が元の形状に戻る。
【００２４】
このようにして、この第１シャフト部４ａの突起４ａ５と第２シャフト部４ｂの凹み４ｂ３の凹凸係合の位置を変えることで、軸方向の長さを変化させることができる。第１シャフト部４ａの突起４ａ５が、第２シャフト部４ｂの凹み４ｂ３に係合すると、軸方向の移動が規制されると共に、周方向の回転も規制される。
【００２５】
この第１シャフト部４ａの突起４ａ５と第２シャフト部４ｂの凹み４ｂ３を一致させた位置で、第１シャフト部４ａに第２シャフト部４ｂを手で強く押して挿入して、第１シャフト部４ａの突起４ａ５を、第２シャフト部４ｂの凹み４ｂ３に係合させ、凹凸係合の位置を変えてもよい。
【００２６】
ダーツ１は長さによって飛び方が微妙に異なり、また投げ易さも変わってくるが、第１シャフト部４ａの突起４ａ５と第２シャフト部４ｂの凹み４ｂ３との係合位置を変えることで、シャフト４の軸方向の長さを変化させ、自分に合った飛び方や投げ易さにすることができる。例えば、突起４ａ５を１段目の挿入側の凹み４ｂ３に係合すると第１シャフト部４ａと第２シャフト部４ｂが最も長くなり、突起４ａ５を６段目のスリット側の凹み４ｂ３に係合すると第１シャフト部４ａと第２シャフト部４ｂが最も短くなる。
【００２７】
例えば約２．５ｍｍ〜４．５ｍｍ程度長さを変えることができ、自分にあった長さにするだけでよく、シャフト５を交換しないでダーツ１の長さを自由に伸縮することができ、取り扱いが容易で、低コストである。
【００２８】
［実施の形態２］
図３はダーツの他の実施の形態と示し、図３（ａ）は分解図、図３（ｂ）は組み立て図、図３（ｃ）は第２シャフト部の側面図である。この実施の形態２のダーツ１は、実施の形態１と同じ構成は、同じ符号を付して説明を省略する。
【００２９】
この実施の形態２のダーツ１の第１シャフト部４ａは、円筒部４ａ２の軸方向に複数の開口４ａ６を有している。開口４ａ６の形状は、方形であるが特に限定されない。第２シャフト部４ｂは、円柱部４ｂ２の挿入側端部４ｂ４に穴部４ｂ５を有し、この穴部４ｂ５を形成する部分の外面に係合爪４ｂ６を有している。この係合爪４ｂ６は、開口４ａ６に係合する形状であり、先端から外側に広がる傾斜面４ｂ６１と、傾斜面の前後から円柱部４ｂ２の外面に垂直なロック面４ｂ６２，  ４ｂ６３と左右のロック面４ｂ６４，４ｂ６５を有している。
【００３０】
この第１シャフト部４ａの開口４ａ６と第２シャフト部４ｂの係合爪４ｂ６を一致させない位置に合わせて、第１シャフト部４ａに第２シャフト部４ｂを手で強く押して挿入すると、第２シャフト部４ｂの係合爪４ｂ６が第１シャフト部４ａの円筒部４ａ２の内壁で押されて内側に弾性変形し、第１シャフト部４ａと第２シャフト部４ｂをスライドさせて軸方向の所定位置にする。この位置で、第１シャフト部４ａと第２シャフト部４ｂとを周方向に回転して第１シャフト部４ａの開口４ａ６に、第２シャフト部４ｂの係合爪４ｂ６に係合させると弾性変形した係合爪４ｂ６が元の形状に戻り、第２シャフト部４ｂを所定位置にすることができ、例えばｍｍ単位で長さを変化させることができる。この位置で第１シャフト部４ａの開口４ａ６に、第２シャフト部４ｂの係合爪４ｂ６を係合し、凹凸係合の位置を変えることで、軸方向の長さを変化させることができる。第１シャフト部４ａの開口４ａ６に、第２シャフト部４ｂの係合爪４ｂ６が係合すると、垂直なロック面４ｂ６２，  ４ｂ６３と左右のロック面４ｂ６４，  ４ｂ６５が開口４ａ６に係合して抜け止めとなって軸方向の移動が規制されると共に、周方向の回転も規制される。
【００３１】
［実施の形態３］
図４はダーツの他の実施の形態と示し、図４（ａ）は分解図、図４（ｂ）は組み立て図である。この実施の形態３のダーツ１は、実施の形態１と同じ構成は、同じ符号を付して説明を省略する。この実施の形態３のダーツ１の第１シャフト部４ａは、円筒部４ａ２の挿入側から雌ねじの外形が徐々に大径になる雌ねじ部４ｂ８と、この雌ねじ部４ａ８に螺着された締付リング４ａ９を有している。
【００３２】
第１シャフト部４ａに第２シャフト部４ｂを挿入し、第１シャフト部４ａの締付リング４ａ９を回転すると、締付リング４ａ９によって徐々に大径になっている雌ねじ部４ａ８が絞られる。このため、雌ねじ部４ａ８が内側に弾性変形し、第２シャフト部４ｂの円柱部４ｂ２に押圧され、第２シャフト部４ｂを固定し軸方向の長さを変化させる。
【００３３】
このように締付リング４ａ９を回転して雌ねじ部４ａ８を絞って第２シャフト部４ｂを固定することで、軸方向の長さを変化させ、軸方向の移動が規制されると共に、周方向の回転も規制される。
［実施の形態４］
図５はダーツの他の実施の形態と示し、図５（ａ）は分解図、図５（ｂ）は組み立て図である。この実施の形態４のダーツ１は、実施の形態１と同じ構成は、同じ符号を付して説明を省略する。この実施の形態４のダーツ１の第１シャフト部４ａは、円筒部４ａ２の内壁に軸方向に形成された溝４ａ１０と、溝４ａ１０の一方側に形成された複数の凹み４ａ１１を有し、第２シャフト部４ｂは、円柱部４ｂ２の挿入側端部に形成された突起４ｂ１０を有している。
【００３４】
この第１シャフト部４ａの複数の凹み４ａ１１と第２シャフト部４ｂの突起４ｂ１０を一致さて、第１シャフト部４ａに第２シャフト部４ｂを手で強く押して挿入すると、第２シャフト部４ｂの突起４ｂ１０に押されて円筒部４ａ２が外側へ弾性変形して広がり、第１シャフト部４ａの複数の凹み４ａ１１から選択して一部の凹み４ａ１１に、第２シャフト部４ｂの突起４ｂ１０を係合させることができる。このようにして、第１シャフト部４ａと第２シャフト部４ｂによって軸方向の長さを変化させ、軸方向の移動が規制されると共に、周方向の回転も規制される。
【００３５】
［実施の形態５］
図６乃至図８はダーツの他の実施の形態と示し、図６は第１シャフト部を示す図、図７は第２シャフトを示す図、図８は第１シャフト部と第２シャフト部を組み立て図である。この実施の形態５のダーツ１は、実施の形態１と同じ構成は、同じ符号を付して説明を省略する。この実施の形態５のダーツ１の第１シャフト部４ａは、図６に示すように、樹脂で多角形筒状に形成され、この多角形筒部４ｄ２の周方向の角部４ｄ２０に形成された内側に突出する複数の突起４ｄ５を有している。
【００３６】
第２シャフト部４ｂは、図７に示すように、樹脂で多角形柱状に形成されている。この多角形柱部４ｅ２には、周方向の隅部４ｅ２０に外側に突出する突起４ｅ２１が形成され、この突起４ｅ２１は軸方向に複数形成され、この突起４ｅ２１の間に凹み４ｅ２２が形成されている。
【００３７】
第１シャフト部４ａに第２シャフト部４ｂを挿入すると、第１シャフト部４ａの突起４ｄ５と、第２シャフト部４ｂの複数の突起４ｅ２１が弾性変形し、複数の突起４ｅ２１の間の凹み４ｅ２２から選択して一部の凹み４ｅ２２に係合して軸方向の長さを変化させることができる。
【００３８】
［実施の形態６］
図９乃至図１１はダーツの他の実施の形態と示し、図９は第１シャフト部を示す図、図１０は第２シャフトを示す図、図１１は第１シャフト部と第２シャフト部を組み立て図である。この実施の形態５のダーツ１は、実施の形態１と同じ構成は、同じ符号を付して説明を省略する。この実施の形態６のダーツ１の第１シャフト部４ａは、図９に示すように、樹脂で円筒状に形成され、この円筒部４ｆ２の周方向に内側に突出する複数の突起４ｆ５を有している。
【００３９】
第２シャフト部４ｂは、図１０に示すように、樹脂で円柱状に形成されている。この円柱部４ｇ２には、周方向に外側に突出する突起４ｇ２１が形成され、この突起４ｇ２１は軸方向に複数形成され、この突起４ｇ２１の間に凹み４ｇ２２が形成されている。
【００４０】
第１シャフト部４ａに第２シャフト部４ｂを挿入すると、第１シャフト部４ａの突起４ｆ５と、第２シャフト部４ｂの複数の突起４ｇ２１が弾性変形し、複数の突起４ｇ２１の間の凹み４ｇ２２から選択して一部の凹み４ｇ２２に係合して軸方向の長さを変化させることができる。
【産業上の利用可能性】
【００４１】
この発明は、投げる人に応じて長さを変えることが可能なダーツに適用可能であり、長さを自由に伸縮することができ、取り扱いが容易で、低コストである。
【図面の簡単な説明】
【００４２】
【図１】実施の形態１のダーツの概略の斜視図である。
【図２】シャフトを説明する図である。
【図３】実施の形態２のダーツを示す図である。
【図４】実施の形態３のダーツを示す図である。
【図５】実施の形態４のダーツを示す図である。
【図６】実施の形態５の第１シャフト部を示す図である。
【図７】第２シャフトを示す図である。
【図８】第１シャフト部と第２シャフト部を組み立て図である。
【図９】実施の形態６の第１シャフト部を示す図である。
【図１０】第２シャフトを示す図である。
【図１１】第１シャフト部と第２シャフト部を組み立て図である。
【符号の説明】
【００４３】
１  ダーツ
２  チップ
３  バレル
４  シャフト
４ａ  第１シャフト部
４ｂ  第２シャフト部
５  フライト
【図１】
2008264192.tif 000003
【図２】
2008264192.tif 000004
【図３】
2008264192.tif 000005
【図４】
2008264192.tif 000006
【図５】
2008264192.tif 000007
【図６】
2008264192.tif 000008
【図７】
2008264192.tif 000009
【図８】
2008264192.tif 000010
【図９】
2008264192.tif 000011
【図１０】
2008264192.tif 000012
【図１１】
2008264192.tif 000013